(57)【要約】【課題】  従来よりも使い易い携帯簡易トイレを提供しようとするもの。【解決手段】  剛性を有する収容容器１の口部２に螺合可能な雌ネジ部３を有する固定手段４と、緊急時に尿を受ける尿受け部５と、前記固定手段４と尿受け部５とを伸縮可能に接続する連結部６と、前記連結部６を縮めた状態で尿受け部５とを被覆する蓋部７とを有すると共に、前記蓋部７は前記固定手段４の外周に形成された雄ネジ部と螺合可能である。緊急時には剛性を有する収容容器を自動車内の足元の床等に置いて略安定させた状態で引き出した尿受け部を介して用を足すことができる。【選択図】  図１
2006081698.tif 000002
【特許請求の範囲】
【請求項１】
剛性を有する収容容器（１）の口部（２）に螺合可能な雌ネジ部（３）を有する固定手段（４）と、緊急時に尿を受ける尿受け部（５）と、前記固定手段（４）と尿受け部（５）とを伸縮可能に接続する連結部（６）と、前記連結部（６）を縮めた状態で尿受け部（５）とを被覆する蓋部（７）とを有すると共に、前記蓋部（７）は前記固定手段（４）の外周に形成された雄ネジ部（10）と螺合可能であることを特徴とする携帯簡易トイレ。
【請求項２】
前記剛性を有する収容容器（１）も有する請求項１記載の携帯簡易トイレ。
【発明の詳細な説明】
【技術分野】
【０００１】
この発明は、例えば車に乗っている時などのような非常時に使用することができる携帯簡易トイレに関するものである。
【背景技術】
【０００２】
従来より、高齢者の外出時や車による遠距離ドライブ等に際して、コンパクトに携帯でき、かつ取り扱いも簡便にすることができるという携帯簡易トイレが提案されている（例えば、特許文献１参照）。
【０００３】
図３に示すように、前記携帯簡易トイレは、携帯トイレ本体51の収納口に大きな開口を持つ楕円状のリング縁52を取り付けてある。前記リング縁52の一端部に同形状のリング閉じ蓋53を重ね、ヒンジ54で開閉自在に連結した他方端部に磁石55と磁性板56を一組とする閉じ部材を設けてある。そして前記携帯トイレ本体51に、高分子剤等の吸水剤57を収めた別体の使い捨て収納袋58をセットして成る。
【０００４】
この携帯簡易トイレは、尿を収める収納袋58をセットする際はリング閉じ蓋53を開けて吸水剤57を収めた収納袋58を袋体59に収めリング閉じ蓋53を再び閉じるだけで簡単にセットできるシンプルなワンタッチ方式であり、使用する際には走行する自動車やバスの中や慣れない旅先などであってもスピーデーに使うことができる、というものである。
【０００５】
しかし、前記携帯簡易トイレは剛性感があまりなく安定性に欠け、このため使い難いきらいがあるという問題があった。
【特許文献１】特開２００２―７８６４２号公報（図１）
【発明の開示】
【発明が解決しようとする課題】
【０００６】
そこでこの発明は、従来よりも使い易い携帯簡易トイレを提供しようとするものである。
【課題を解決するための手段】
【０００７】
前記課題を解決するためこの発明では次のような技術的手段を講じている。
（１）この発明の携帯簡易トイレは、剛性を有する収容容器の口部に螺合可能な雌ネジ部を有する固定手段と、緊急時に尿を受ける尿受け部と、前記固定手段と尿受け部とを伸縮可能に接続する連結部と、前記連結部を縮めた状態で尿受け部とを被覆する蓋部とを有すると共に、前記蓋部は前記固定手段の外周に形成された雄ネジ部と螺合可能であることを特徴とする。
【０００８】
この携帯簡易トイレを使用する時には、剛性を有する収容容器の口部に固定手段の雌ネジ部を螺合させる。ここまでは予め準備して車内に置いておくとよい。尿意が強くなってきた緊急時には蓋部を外し、尿を受ける尿受け部を引っ張ると伸縮可能な連結部が伸びるので、尿受け部を必要な位置（高さ）まで引き出す。そして、（自動車等の座席に座った姿勢で）尿受け部を介して（足元の）剛性を有する収容容器へと用を足した後は、連結部を縮めて尿受け部を元の位置に戻し、蓋部を前記固定手段の外周に形成された雄ネジ部に螺合し、連結部と尿受け部とを蓋部で被覆する。すると、尿が収容された内部領域が（自動車内等の）外部空間と遮断され臭いが漂い出さない状態となる。
【０００９】
すなわち、緊急時には剛性を有する収容容器を自動車内の足元の床等に置いて略安定させた状態で引き出した尿受け部を介して用を足すことができる。
【００１０】
ここで、前記剛性を有する収容容器としてＰＥＴボトル等の合成樹脂製のものやガラス瓶などを例示することができる。前記合成樹脂製のものとして、飲用済みの清涼飲料用のＰＥＴボトル（１．５Ｌや２．０Ｌ）等を好適に利用することができる。
【００１１】
（２）前記剛性を有する収容容器も有することとしてもよい。
このように構成すると、車内での緊急時に必要な一式をまとめて提供することができ、飲用済みの清涼飲料用のＰＥＴボトルなどを別途わざわざ用意する必要がない。
【発明の効果】
【００１２】
この発明は上述のような構成であり、次の効果を有する。
【００１３】
緊急時には剛性を有する収容容器を自動車内の足元の床等に置いて略安定させた状態で引き出した尿受け部を介して用を足すことができるので、従来よりも使い易い携帯簡易トイレを提供することができる。
【発明を実施するための最良の形態】
【００１４】
以下、この発明の実施の形態を図面を参照して説明する。
【００１５】
図１及び図２に示すように、この実施形態の車載用の携帯簡易トイレ（小用）は、剛性を有する収容容器１と、前記収容容器１の口部２に螺合可能な雌ネジ部３を有する合成樹脂製の固定手段４と、緊急時に尿を受ける合成樹脂製の尿受け部５と、前記固定手段４と尿受け部５とを伸縮可能に接続する合成樹脂製の蛇腹状の連結部６と、前記連結部６を縮めた状態で尿受け部５とを被覆する合成樹脂製の蓋部７とから構成している。
【００１６】
前記剛性を有する収容容器１として、飲用済みの清涼飲料用のＰＥＴボトル（１．５Ｌや２．０Ｌ）などの合成樹脂製のものを好適に再利用することができ、他にガラス瓶などを利用することができる。また、車のフロントガラスやリアガラス用のウィンドーウォッシャー液が収容されていた空きボトル等を利用することもできる。前記固定手段４の雌ネジ部３は、対応させる収容容器１の口部２に螺合が可能なようにサイズ・ピッチを設定する。
【００１７】
前記尿受け部５は検尿カップ状としており、その底部の一部を開口して連結部６と連通できるようにしている。なお、図示した通り、尿受け部５の開口端８を若干斜めにカットしておき女性の場合にも対応できるようにしておくとよい。
【００１８】
前記蛇腹状の連結部６は、伸ばした状態で長さが７０〜８０ｃｍ程度となるように設定することができる。前記蛇腹状の部分は、その外周端Ｔ（４５ｍｍに設定、図２参照）と内周端ｔ（１５ｍｍに設定、図２参照）の径の差を大きく設定すると不使用時にできるだけ短く縮めることが出来る。
【００１９】
前記蓋部７の開口端の内周には雌ネジ部９を形成し、固定手段４の外周には雄ネジ部10を形成しており、相互に螺合可能としている。ここで、前記固定手段４の雌ネジ部３のピッチや蓋部７の雌ネジ部９のピッチは、１回転半から２回転ですぐに締まるように設定しておくと緊急時に迅速に対処することが出来る。
【００２０】
次に、この実施形態の携帯簡易トイレの使用状態を説明する。
【００２１】
この携帯簡易トイレを使用する時には、剛性を有する収容容器１の口部２に固定手段４の雌ネジ部３を螺合させる。ここまでは予め準備して車内に置いておくとよい。尿意が強くなってきた緊急時には蓋部７を外し、尿を受ける尿受け部５を引っ張ると伸縮可能な連結部６が伸びるので、尿受け部５を必要な位置（高さ）まで引き出す。
【００２２】
そして、自動車等の座席に座った姿勢で、尿受け部５を介して足元の剛性を有する収容容器１へと用（小用）を足し、用を足した後は連結部６を縮めて尿受け部５を元の位置に戻し、蓋部７を前記固定手段４の外周に形成された雄ネジ部に螺合し、連結部６と尿受け部５とを蓋部７で被覆する。すると、尿が収容された収容容器１の内部領域が自動車内等の外部空間と遮断され、臭いが漂い出さない状態となる。
【００２３】
すなわち、緊急時には剛性を有する収容容器１を自動車内の足元の床等に置いて略安定させた状態で引き出した尿受け部５を介して用を足すことができるので、従来よりも使い易いという利点がある。
【００２４】
ここで、前記剛性を有する収容容器１も含めて車内での緊急時に必要な一式をまとめて販売・提供すると、使用者は飲用済みの清涼飲料用のＰＥＴボトルなどを別途わざわざ用意する必要がないという利点がある。
【００２５】
また、上記従来の携帯簡易トイレは高分子剤等の吸水剤を収めた別体の使い捨て収納袋をセットして成るものであり、使用後には高速道路等のサービスエリアのゴミ箱などに使い捨て収納袋を廃棄しており環境衛生上あまり好ましくない影響が考えられるものであったが、この実施形態の携帯簡易トイレは使用後には収容容器に溜まった尿はトイレに流し、前記収容容器は洗って何回でも半永久的に再利用することができ、環境に不衛生なゴミを排出することなく衛生的であるという利点がある。
【産業上の利用可能性】
【００２６】
緊急時には剛性を有する収容容器を自動車内の足元の床等に置いて略安定させた状態で引き出した尿受け部を介して用を足すことができ、従来よりも使い易いことによって種々の状況下における携帯簡易トイレの用途に適用することができる。
【図面の簡単な説明】
【００２７】
【図１】この発明の携帯簡易トイレの実施形態で蓋部で被覆した状態を説明する断面図。
【図２】図１の携帯簡易トイレで蓋部を外し連結部を少し伸ばした状態を説明する断面図。
【図３】従来の携帯簡易トイレを説明する斜視図。
【符号の説明】
【００２８】
１  収容容器
２  口部
３  雌ネジ部
４  固定手段
５  尿受け部
６  連結部
７  蓋部
10  雄ネジ部
【図１】
2006081698.tif 000003
【図２】
2006081698.tif 000004
【図３】
2006081698.tif 000005